(57)【要約】【課題】室内機本体を大型化することなく、エアフィルタから自動的に塵埃を除去して塵埃除去作業の手間を軽減して、塵埃除去時間の短縮化が図れ、エアフィルタそのものを簡単に取り出してメンテナンスできる空気調和機の室内機を提供する。【解決手段】エアフィルタ清掃ユニット３０は、エアフィルタ２０の表面に付着する塵埃Ｊをブラシ４０により除去するブラシ掻き取り部３１と、ブラシ４０が掻き取った塵埃Ｊを回収する塵埃受け部３２と、を具備し、ブラシ掻き取り部３１と塵埃受け部３２の両方もしくは一方が、開閉パネル３側に固定されている。【選択図】図１
2010151333.tif 000002
【特許請求の範囲】
【請求項１】
エアフィルタを外部へ取り出すための前面の開閉パネルを備え、上記エアフィルタの表面に付着した塵埃を除去するエアフィルタ清掃ユニットを備える空気調和機の室内機において、
上記エアフィルタ清掃ユニットは、上記エアフィルタの表面に付着する上記塵埃をブラシにより除去するブラシ掻き取り部と、上記ブラシが掻き取った上記塵埃を回収する塵埃受け部と、を具備し、
上記ブラシ掻き取り部と上記塵埃受け部の両方、または上記ブラシ掻き取り部と上記塵埃受け部の一方が、上記開閉パネル側に固定されていることを特徴とする空気調和機の室内機。
【請求項２】
上記エアフィルタ清掃ユニットは、
上記エアフィルタが上下方向の移動で上記塵埃を回収する際に、上記エアフィルタを上記室内機内の吹出し通風路側へ貫通させる貫通穴と、上記貫通穴を開閉できる開閉機構部と、を備え、
上記エアフィルタの清掃運転時に上記エアフィルタの移動をする際に上記エアフィルタを上記吹出し通風路側に延出させて上記エアフィルタの一部が上記吹出し通風路の内部に収納される構成を具備したことを特徴とする請求項１に記載の空気調和機の室内機。
【請求項３】
上記エアフィルタ清掃ユニットは、
上記ブラシ掻き取り部を回転駆動することで上記エアフィルタの表面に付着する上記塵埃を除去する回転ブラシで構成し、上記回転ブラシと上記塵埃受け部との間に、上記回転ブラシに付着した上記塵埃を上記回転ブラシから掻き落とす掻き落とし突部を具備することを特徴とする請求項１または請求項２に記載の空気調和機の室内機。
【発明の詳細な説明】
【技術分野】
【０００１】
本発明は、空気調和機の室内機に関し、特にエアフィルタにより室内空気から捕捉した塵埃をこのエアフィルタからブラシにより除去する空気調和機の室内機に関する。
【背景技術】
【０００２】
空気調和機の室内機では、室内空気が吸込み口から室内機本体内に吸い込まれるが、室内空気に含まれる塵埃は吸込み口と対向して設けられたエアフィルタで捕捉されて、室内空気のみが熱交換器に導かれて熱交換される。
【０００３】
空調運転の継続に伴い、エアフィルタに捕捉された塵埃がエアフィルタに堆積して、そのまま放置すると熱交換器に対する室内空気の流通が阻害され、熱交換効率の低下を招いてしまう。
【０００４】
熱交換器の熱交換効率の向上を図るために、理想的にはエアフィルタに付着している塵埃を定期的に除去する必要がある。前面パネルは室内機本体の前面を構成するが、前面パネルは回動自在に設けられ、前面パネルを開放するとエアフィルタが露出する。使用者がこのエアフィルタの下端部を摘まんでエアフィルタを引き下ろせば、エアフィルタは容易に室内機本体から取り外せる。その後、使用者がエアフィルタに付着している塵埃を除去した後、再びエアフィルタを室内機本体内に押し上げれば、エアフィルタは室内機本体内の元の位置に戻して収納することができる。
【０００５】
しかし、一般的に多用される空気調和機の室内機は、いわゆる壁掛け式と呼ばれていて、部屋の壁面の高所に取り付けられる。そのため、例えば高齢者や女性にとっては前面パネルの開閉作業とエアフィルタの着脱作業が困難であり、エアフィルタの清掃ができずにエアフィルタに塵埃を付着させたままの状態になり易い。
【０００６】
そこで、例えば特許文献１に開示されているように、エアフィルタに付着するゴミを自動的に除去する手段を備えた空気調和機が提案されている。具体的には、室内機の筺体内に収容する逆Ｖ字状の熱交換器に対して、筺体前面から上面にかけてエアフィルタを配置している。熱交換器の頂点付近には、エアフィルタを筺体前面と背面に移動させる移動手段と、エアフィルタの移動にともないゴミを掻き取るゴミ取り部が設けられている。
【特許文献１】特開２００４−４４９３３号公報
【発明の開示】
【発明が解決しようとする課題】
【０００７】
ところで、上述の特許文献１に開示されている技術によれば、長尺のエアフィルタを筺体の外部へ引き出すことなく、筺体内でエアフィルタを往復移動させて清掃可能として美観を損なわないようにしている反面、筺体の前面側と背面側に、エアフィルタが移動できるスペースを確保しなければならない。具体的には、塵埃の除去時には、エアフィルタを往動してこの前面の下端を吹出口と対向する部位まで移動させる。さらに、エアフィルタを復動して、この背面側の下端を筺体の背面下端まで移動させるようになっている。  このような従来の構造を採用しているので、筺体のいずれの部位にも、エアフィルタ移動用のスペースを確保する必要があり、筺体の大型化が避けられない。しかも、エアフィルタの背面の一部は、塵埃の捕捉作用を行えない。エアフィルタを往動する際にゴミ取り部に対向させ、ここで保持されるだけの部分でしかゴミ取りはできず、エアフィルタも大型化してしまう。
【０００８】
このような大型のエアフィルタを往復移動してゴミ取りをすることから、エアフィルタ送り手段は必然的に大きな駆動力を必要として、機構的に大型化し、ランニングコストが嵩む。長尺のエアフィルタを往復移動させるので、ゴミ取り時間が長くなってしまう。
【０００９】
結局、筺体内のゴミ取り部に保管したゴミを取り出すために、使用者は高所に手を伸ばす必要があり、作業が面倒である。しかも、この時にゴミがゴミ取り部内で突き固まっている保証がないから、筺体からゴミ取り部を取り出すと、ゴミが飛散するか落下する恐れがある。また、使用者によっては、エアフィルタを十分にきれいに掃除したいという要望もあるが、このような従来の構造ではフィルタを簡単には取り出すことができない。
【００１０】
本発明は上記課題を解決するためになされたものであり、本発明の目的は、室内機本体を大型化することなく、エアフィルタから自動的に塵埃を除去して塵埃除去作業の手間を軽減して、塵埃除去時間の短縮化が図れ、エアフィルタそのものを簡単に取り出してメンテナンスできる空気調和機の室内機を提供することである。
【課題を解決するための手段】
【００１１】
本発明の空気調和機の室内機は、エアフィルタを外部へ取り出すための前面の開閉パネルを備え、上記エアフィルタの表面に付着した塵埃を除去するエアフィルタ清掃ユニットを備える空気調和機の室内機において、上記エアフィルタ清掃ユニットは、上記エアフィルタの表面に付着する上記塵埃をブラシにより除去するブラシ掻き取り部と、上記ブラシが掻き取った上記塵埃を回収する塵埃受け部と、を具備し、上記ブラシ掻き取り部と上記塵埃受け部の両方、または上記ブラシ掻き取り部と上記塵埃受け部の一方が、上記開閉パネル側に固定されていることを特徴とする。
【発明の効果】
【００１２】
本発明によれば、室内機本体を大型化することなく、エアフィルタから自動的に塵埃を除去して塵埃除去作業の手間を軽減して、塵埃除去時間の短縮化が図れ、エアフィルタそのものを簡単に取り出してメンテナンスできる空気調和機の室内機を提供することができる。
【発明を実施するための最良の形態】
【００１３】
以下、本発明の実施の形態について図面を参照して詳細に説明する。
【００１４】
（第１の実施の形態）
図１は、本発明の実施形態に係る空気調和機の室内機の概略を示す側断面図である。
【００１５】
図１に示す空気調和機の室内機の室内機本体１は、前側筺体を構成している前面パネル２と、後板筺体３Ｄとから構成され、室内機本体１は上下方向Ｚに対して水平な幅方向（図１の紙面垂直方向）Ｘに沿って横長形状を形成している。室内機本体１の前面側には、開閉パネル３が嵌め込まれている。開閉パネル３は、ヒンジ部４６を中心として開閉可能である。
【００１６】
図１に示す室内機本体１の上部には、上面吸込み口５が設けられている。この上面吸込み口５には、枠状の桟５Ｂが嵌め込まれていて、上面吸込み口５はこれらの桟５Ｂによって複数の空間部に仕切られている。室内機本体１の前面下部には吹出し口６が開口され、この吹出し口６には、吹出し水平方向の風向を変えるための水平ルーバ６Ｂと左右方向の風向を変えるための左右ルーバ６Ｃが一体的に設けられている。各水平ルーバ６Ｂは、それぞれの回動姿勢によって吹出し口６を開閉し、かつ運転条件に応じて熱交換空気の吹出し方向を設定できるようになっている。
【００１７】
図１に示す室内機本体１内には、熱交換器８が配置されている。この熱交換器８は、前側熱交換器８Ａと後側熱交換器８Ｂとで、略逆Ｖ字状に形成されている。この熱交換器８の一側部には電気部品箱（図示せず）が並配されている。前側熱交換器８Ａは、前面パネル２に対して間隙をおいてほぼ平行な湾曲状に形成されており、前面吸込み口４と、上部吸込み口５に対向している。後側熱交換器８Ｂは、直線状に形成されており、上部吸込み口５に対して斜めに傾斜した状態で対向している。
【００１８】
前側熱交換器８Ａと後側熱交換器８Ｂの間には、室内送風機１０が配置されている。室内送風機１０は、ファンモータ１０Ｂと横流ファン１０Ｃとから構成されている。ファンモータ１０Ｂは室内機本体１の一側端のスペースに配置されており、横流ファン１０Ｃの一方の支軸がファンモータ１０Ｂの回転軸に対して機械的に連結されている。
【００１９】
前側熱交換器８Ａの下端部は、前ドレンパン１２Ａの上に載り、後側熱交換器８Ｂの下端部は、後ドレンパン１２Ｂの上に載っている。前ドレンパン１２Ａと後ドレンパン１２Ｂは、それぞれの前側熱交換器８Ａと後側熱交換器８Ｂから滴下するドレン水を受け、ドレン水は図示しない排水ホールを介して外部に排水できるようになっている。
【００２０】
前側熱交換器８Ａと後側熱交換器８Ｂの一部側壁の外面は、室内送風機１０に近接して設けられており、前側熱交換器８Ａと後側熱交換器８Ｂの一部側壁の外面が、室内送風機１０の横流ファン１０Ｂに対するノーズ１９を構成している。ノーズとなる前側熱交換器８Ａと後側熱交換器８Ｂの一部側壁部分と吹出し口６の各辺部との間は、隔壁部材１４によって連結されている。隔壁部材１４で囲まれている空間が、ノーズと吹出し口６を連通する吹出し通風路１５となっている。
【００２１】
図１に示す熱交換器８の前面部には、エアフィルタ２０が配置されている。このエアフィルタ２０は、上方側エアフィルタ２１と、下方側エアフィルタ２２を有しており、上方側エアフィルタ２１と、下方側エアフィルタ２２は、連結部２３により互いに回動自在に連結されている。
【００２２】
図２は、このエアフィルタ２０の構造例を示しており、図２（Ａ）は、エアフィルタ２０の側面図であり、図２（Ｂ）は、エアフィルタ２０の正面図である。連結部２３は、上方側エアフィルタ２１の一端部側と下方側エアフィルタ２２の他端部側を互いに回動自在に連結している。
【００２３】
図２に示す連結部２３は、上方側エアフィルタ２１と下方側エアフィルタ２２の連結回動支点である。上方側エアフィルタ２１と下方側エアフィルタ２２は、図２（Ｂ）に示すように、長方形状の枠体２４に対してネット２５が形成され、湾曲できるような柔軟性を有する部材である。連結部２３は、連結回動支点ともいい、この連結部２３には、前面側に一方向Ｍのみに折曲できるストッパーを備え、下方側エアフィルタ２２は一方向Ｍ（内側方向）のみに折り曲げることができるようになっている。長方形状の枠体２４には、それぞれ複数のエアフィルタ送り穴２６，２６が、図２においてＳ方向に沿って直列に形成されている。これらのエアフィルタ送り穴２６，２６には、それぞれ後で説明する左右のエアフィルタ可動ギア２７の歯先が嵌り込むことができる。これにより、左右のエアフィルタ可動ギア２７が回転することにより、エアフィルタ２０が図１に示す室内機本体１内において、Ｒ方向に沿って移動可能である。
【００２４】
次に、エアフィルタ清掃ユニット３０について、図１と図３を参照して説明する。
【００２５】
図１に示すように、エアフィルタ清掃ユニット３０は、開閉パネル３の内側であって、中間部よりも下側の位置に配置されている。エアフィルタ清掃ユニット３０は、ブラシ掻き取り部３１と、塵埃受け部３２と、貫通穴を開閉できる開閉機構部３３とを備える。
【００２６】
ブラシ掻き取り部３１は、回転ブラシ４０を有しており、エアフィルタ２０の表面に付着する塵埃をこの回転ブラシ４０により接触することで除去することができる。回転ブラシ４０は、開閉パネル３の内面側の取り付け部４１に対して回転可能に取り付けられている。
【００２７】
図３は、回転ブラシ４０とエアフィルタ可動ギア２７の付近を示す図である。
【００２８】
図３に示すように、回転ブラシ４０は、回転軸４２を中心として回転可能になっており、回転ブラシ４２はエアフィルタ２０の表面に接するようにして配置されている。回転ブラシ４２の軸方向（図３のＸ方向）の長さは、エアフィルタ２０のＸ方向の幅と同じである。エアフィルタ２０の回転ブラシ４２はステッピングモータ４３の出力軸に連結されており、制御部１００がステッピングモータ４３に対して自動清掃運転指令が与えられると、ステッピングモータ４３が駆動して回転ブラシ４０をＤ方向に回転させることができる。
【００２９】
一方、図３に示すように、エアフィルタ可動ギア２７は別のステッピングモータ４４の出力軸に連結されている。エアフィルタ可動ギア２７は回転軸４５に取り付けられており、制御部１００がステッピングモータ４４に対して自動清掃運転指令が与えられると、ステッピングモータ４４が駆動してエアフィルタ可動ギア２７は正転、逆転することができる。エアフィルタ可動ギア２７の各歯は、エアフィルタ２０の複数のエアフィルタ送り穴２６に噛み合うことで、エアフィルタ２０は、Ｒ１方向とＲ２方向、すなわち上下方向に移動可能である。エアフィルタ可動ギア２７は、図２に示す左右のエアフィルタ送り穴２６に対応してそれぞれ設けられている。
【００３０】
これにより、回転ブラシ４０がＤ方向に連続回転するとともに、エアフィルタ２０がＲ１方向とＲ２方向に上下移動することにより、エアフィルタ２の表面に付着している塵埃は、回転部ブラシ２０により機械的に接触して効率よく掻き取ることができるようになっている。
【００３１】
図１に示すように、塵埃受け部３２は、開閉パネル３の内側であって、回転ブラシ４０の下部に配置されている。回転ブラシ２０が掻き取った塵埃は、重力により落下して塵埃受け部３２内に受けて回収できるようになっている。
【００３２】
図４は、開閉機構部３３の閉鎖部材６１が回転して貫通穴６０を開いている状態を示し、図５は、貫通穴６０が開閉機構部３３の閉鎖部材６１により閉鎖されている状態を示している。
【００３３】
図４では、室内機本体１の開閉パネル３が閉じており、エアフィルタ２０の清掃状態を示している。これに対して、図５では、室内機本体１の開閉パネル３の下部が、前方Ｙ１方向に沿って、ヒンジ部４６を介して開いた状態を示している。
【００３４】
図４と図５に示すブラシ掻き取り部３１と塵埃受け部３２の両方もしくは一方が、開閉パネル３の内側に固定されている。図４に示す実施の形態では、一例としてブラシ掻き取り部３１が開閉パネル３の内側に対して固定されており、塵埃受け部３２はブラシ掻き取り部３１に対して、例えば嵌め込みにより着脱自在に取り付けられている。
【００３５】
図４と図５に示す塵埃受け部３２は断面で見てほぼＵ字型であり回転ブラシ２０の軸方向（Ｘ方向）の長さに対応したＸ方向の長さを有している。塵埃受け部３２の内部には塵埃Ｊを収容することができる。そして、図５に示すように、開閉パネル３が開いた状態で、塵埃受け部３２はＺ１方向に沿ってブラシ掻き取り部３１から分離して取り外すことができるようになっている。
【００３６】
さらに、図４と図５に示すように、塵埃受け部３２の上端部は、例えばほぼＬ字型に上方に向けて突出した部分であり、この突出した部分は、回転ブラシ４０に付着している塵埃を機械的に掻き落とすための掻き落とし用突起５０である。
【００３７】
これにより、図４に示すように、塵埃受け部３２がブラシ掻き取り部３１に対して固定されている状態では、掻き落とし用突起５０が、Ｄ方向に回転している回転ブラシ４０の表面に突き当てられているので、回転ブラシ４０の表面に付着している塵埃は簡単に掻き落として塵埃受け部３２内に落下させて回収することができる。
【００３８】
次に、図４と図５を参照して、貫通穴６０を開閉するための開閉機構部３３について説明する。
【００３９】
図４では、開閉機構部３３の閉鎖部材６１が回転して貫通穴６０を開いており、図５では、貫通穴６０が開閉機構部３３の閉鎖部材６１により閉鎖されている。閉鎖部材６１は、ヒンジ部６２を介して回転できるようになっている。この閉鎖部材６１は、例えば図示しないソレノイドのようなアクチュエータの出力軸に固定されており、アクチュエータが駆動することで、閉鎖部材６１が貫通穴６０を開閉できる。
【００４０】
図４に示すように、この貫通穴６０は、吹出し通風部１５の上部に位置されており、貫通穴６０はエアフィルタ２０が上下移動する際にエアフィルタ２０を吹出し通風路１５側へ通すために設けられている。図４に示すように、エアフィルタ２０が下方へ移動した際には、エアフィルタ２０が貫通穴６０を通って、吹出し通風部１５へ突出する。
【００４１】
このエアフィルタ２０が吹出し通風路１５の下部面近傍まで下がった時点では、エアフィルタ２０は、図４に示すように、連結部２３を回動支点としてこの連結部２３を中心にエアフィルタ２０の下方側エアフィルタ２２の先端が吹出し通風路１５の上流側へ移動するようになっている。このような状態では、エアフィルタ２０はほぼＬ字型に曲がった状態になっている。その後エアフィルタ２０は、逆方向に沿って移動して上方側エアフィルタ２１が上方に移動して、図５に示す元の基本位置に戻る構造になっている。
【００４２】
貫通穴６０を閉鎖できる開閉機構部３３が備わっている。この理由としては、図４に示すエアフィルタ２０を清掃する清掃運転時には、貫通穴６０が開放状態になり、例えば図６に示す冷房運転中では、貫通穴６０は閉鎖部材６１により閉鎖する。これにより、冷房運転中に気流が貫通穴６０を通じてショートサーキットしたり、結露する現象を防止することができる。なお、図３に示すように、ファンモータ１０Ｂの駆動制御は、制御部１００の指令により行われる。
【００４３】
次に、上述した空気調和機の室内機における動作例を説明する。
【００４４】
図１に示すように、室内機本体１の開閉パネル３が閉じており、エアフィルタ２０における下方側エアフィルタ２２の下端部のエアフィルタ送り穴２６には、エアフィルタ可動ギア２７の歯先が嵌り込んでいる。下方側エアフィルタ２２は、前側熱交換器８Ａの下半分に対応して配置されており、上方側エアフィルタ２１は、前側熱交換器８Ａの上半分と後側熱交換器８Ｂに対応して配置されている。貫通穴６０は閉鎖部材６１により閉鎖されている。ブラシ掻き取り部３１には、予め塵埃受け部３２が取り付けられており、ブラシ掻き取り部３１と塵埃受け部３２は、開閉パネル３の内側の下部に配置されている。
【００４５】
図１に示す室内機本体１が運転されて、室内空気が上部吸込み口５とエアフィルタ２０を通じて熱交換器２０に供給されると、エアフィルタ２０には塵埃が付着する。塵埃がエアフィルタ２０に付着すると、エアフィルタ清掃ユニット３０が自動的にこの塵埃をエアフィルタ２０から掻き落として除去する。すなわち、図３に示す制御部１００が、ステッピングモータ４３に対して自動清掃運転指令が与えられると、ステッピングモータ４３が駆動して回転ブラシ４０をＤ方向に連続回転させる。同時に、図３に示すように、制御部１００がステッピングモータ４４に対して自動清掃運転指令が与えられると、ステッピングモータ４４が駆動して左右のエアフィルタ可動ギア２７は回転する。左右のエアフィルタ可動ギア２７の各歯は、図２に示すエアフィルタ２０の左右端部に形成した複数のエアフィルタ送り穴２６に噛み合うことで、図３に示すエアフィルタ２０は、Ｒ１方向に送られる。しかも、図４に示すように、制御部１００の指令によりアクチュエータが作動して、閉鎖部材６１が貫通穴６０を開放する。
【００４６】
これにより、図４に示すように、エアフィルタ２０が下方へ移動した際には、エアフィルタ２０が貫通穴６０を通って、吹出し通風部１５内へ突出する。このエアフィルタ２０が吹出し通風路１５の下部面近傍まで下がった時点では、エアフィルタ２０は、図４に示すように、連結部２３を回動支点としてこの連結部２３を中心にエアフィルタ２０の下方側エアフィルタ２２の先端が吹出し通風路１５の上流側へ移動する。このような状態では、エアフィルタ２０はほぼＬ字型に曲がった状態になっている。
【００４７】
その後、エアフィルタ２０は、図３に示す逆方向であるＲ２方向に沿って移動して上方側エアフィルタ２１が上方に移動して、図５に示す元の基本位置に戻って収納される。このようにして、エアフィルタ２０の清掃運転時には、エアフィルタ２０の上下移動をする際にエアフィルタ２０を室内機本体１内の吹出し通風路１５側に延出させて、エアフィルタ２０の一部が吹出し通風路１５の内部に収納される。
【００４８】
図４に示す掻き落とし用突起５０が、Ｄ方向に回転している回転ブラシ４０の表面に機械的に突き当てられているので、回転ブラシ４０の表面に付着している塵埃は簡単にしかも確実に掻き落として塵埃受け部３２内に落下させて回収することができる。
【００４９】
必要に応じて、エアフィルタ２０の上下移動は複数回繰り返すことにより、エアフィルタ２０の表面側に付着した塵埃は、回転ブラシ４０の回転により確実に迅速に除去することができる。
【００５０】
次に、図４に示すエアフィルタ２０の回転ブラシ４０による清掃状態が終了すると、使用者は図５に示すように開閉パネル３を開いて、ブラシ掻き取り部３１から塵埃受け部３２を取り外すことができる。塵埃受け部３２内の塵埃Ｊは廃棄される。その後、使用者は、開閉パネル３を開いた状態で、必要に応じて、エアフィルタ２０を室内機本体１内から簡単に取り外すことができるので、塵埃を除去した後のエアフィルタ２０をさらに洗剤等で洗浄することができる。
【００５１】
このような構造を採用することで、室内機本体１を大型化することなく、エアフィルタから自動的に塵埃を除去でき、塵埃除去作業の手間を軽減して、塵埃除去時間の短縮化が図れ、エアフィルタそのものを簡単に取り出してメンテナンスできる。
【００５２】
エアフィルタの清掃作業は、長尺のエアフィルタを室内機本体の外部へ引き出すことなく、室内機本体内で上下方向に往復移動させて清掃でき、美観を損なわないように行える。エアフィルタは、室内機本体１内の吹出し通風路１５を利用して上下移動させるので、室内機本体内には、エアフィルタが移動するための大きなスペースを確保する必要がない。塵埃の清掃時間が長くならず迅速にできる。
【００５３】
塵埃は、容器状の塵埃受け部により回収でき、塵埃が突き固まっていなくても塵埃が飛散したり落下するのを確実に防ぐことができる。そして、エアフィルタから塵埃を除去した後に、使用者は、エアフィルタが前面側に露出でき、エアフィルタを室内機本体内から取り出して、十分に洗浄してきれいに掃除することができる。
【００５４】
図６は、冷房運転時の状態を示しており、閉鎖部材６１は貫通穴６０を閉鎖している。これにより、室内送風機１０が作動することで、室内空気は、矢印Ｐで示すように、上面吸込み口５から取り込まれて熱交換器２０を通って熱交換された後に、吹出し通風路１５を通り吹出し口６から冷気として室内に噴出される。この場合には、閉鎖部材６１は貫通穴６０を閉鎖しているので、気流が貫通穴６０を通じてショートサーキットしたり、結露する現象を防止することができる。冷房運転時だけではなく暖房運転中でも、気流がショートサーキットを起こすことがなく、結露を起こすことを防止できる。
【００５５】
本発明の空気調和機の室内機は、エアフィルタを外部へ取り出すための前面の開閉パネルを備え、エアフィルタの表面に付着した塵埃を除去するエアフィルタ清掃ユニットを備える空気調和機の室内機において、エアフィルタ清掃ユニットは、エアフィルタの表面に付着する塵埃をブラシにより除去するブラシ掻き取り部と、ブラシが掻き取った塵埃を回収する塵埃受け部と、を具備し、ブラシ掻き取り部と塵埃受け部の両方、またはブラシ掻き取り部と塵埃受け部の一方が、開閉パネル側に固定されていることを特徴とする。これにより、室内機本体を大型化することなく、エアフィルタから自動的に塵埃を除去して塵埃除去作業の手間を軽減して、塵埃除去時間の短縮化が図れ、エアフィルタそのものを簡単に取り出してメンテナンスできる。
【００５６】
例えば、エアフィルタ清掃ユニットの一部または全部が開閉パネルの裏面側に位置するので、エアフィルタ清掃ユニットを備える室内機本体では、開閉パネルを開いた時に、エアフィルタが前面側に露出でき、フィルタを容易に取り外すことができる。
【００５７】
本発明の空気調和機の室内機では、エアフィルタ清掃ユニットは、エアフィルタが上下方向の移動で塵埃を回収する際に、エアフィルタを室内機内の吹出し通風路側へ貫通させる貫通穴と、貫通穴を開閉できる開閉機構部と、を備え、エアフィルタの清掃運転時にエアフィルタの移動をする際にエアフィルタを吹出し通風路側に延出させてエアフィルタの一部が吹出し通風路の内部に収納され構成を具備する。これにより、室内機本体を大型化することなく、エアフィルタから自動的に塵埃を除去でき、塵埃の除去の手間が軽減できる。エアフィルタの清掃運転時には、貫通穴を開放状態にでき、冷暖房運転中は、気流がショートサーキットや結露を起こすことを防止できる。
【００５８】
本発明の空気調和機の室内機では、エアフィルタ清掃ユニットは、ブラシ掻き取り部を回転駆動することでエアフィルタの表面に付着する塵埃を除去する回転ブラシで構成し、回転ブラシと塵埃受け部との間に、回転ブラシに付着した塵埃を回転ブラシから掻き落とす掻き落とし突部を具備する。これにより、室内機本体を大型化することなく、エアフィルタから自動的に機械的に塵埃を確実に除去でき、塵埃除去の手間が軽減できる。
【００５９】
なお、この発明は、上記実施の形態そのままに限定されるものではなく、実施段階ではその要旨を逸脱しない範囲で構成要素を変形して具体化できる。例えばブラシ掻き取り部と塵埃受け部の両方が開閉パネル側に固定されていても良いし、ブラシ掻き取り部と塵埃受け部の一方が、開閉パネル側に固定されていても良い。
【００６０】
上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００６１】
【図１】本発明の実施形態に係る空気調和機の室内機の概略を示す側断面図である。
【図２】エアフィルタの構造例を示す図である。
【図３】回転ブラシとエアフィルタ可動ギアの付近を示す図である。
【図４】開閉機構部の閉鎖部材が回転して貫通穴を開いており、エアフィルタが移動してエアフィルタの塵埃が除去されている状態を示す図である。
【図５】開閉パネルが開いてブラシ掻き取り部から塵埃受け部を取り外した状態を示す図である。
【図６】冷房運転状態例を示す図である。
【符号の説明】
【００６２】
１…空気調和機の室内機の室内機本体、３…開閉パネル、４…前面吸込み口、５…上面吸込み口、６…吹出し口、８…熱交換器、８Ａ…前側熱交換器、８Ｂ…後側熱交換器、１０…室内送風機、１５…吹出し通風路、２０…エアフィルタ、２１…上方側エアフィルタ、２２…下方側エアフィルタ、２３…連結部、２６…エアフィルタ送り穴、２７…エアフィルタ可動ギア、３０…エアフィルタ清掃ユニット、３１…ブラシ掻き取り部、３２…塵埃受け部、３３…開閉機構部、４０…回転ブラシ、６０…貫通穴、６１…閉鎖部材
【図１】
2010151333.tif 000003
【図２】
2010151333.tif 000004
【図３】
2010151333.tif 000005
【図４】
2010151333.tif 000006
【図５】
2010151333.tif 000007
【図６】
2010151333.tif 000008